(57)【要約】【課題】コーナー部に立設された縦部材と、縦部材を挟んで水平方向に延びる２本の横部材とを接続する場合に、垂直方向及び水平方向の位置決めが容易で、固定作業を安定して行うことができ、接続時間を短縮することの可能なコーナー部接続部材及びコーナー部接続構造を提供する。【解決手段】コーナー部に立設された縦部材１と、縦部材１を挟んで水平方向の両側に延びる２本の横部材２，３とのコーナー部接続構造であって、Ｌ字状の板材からなる本体部１０と本体部１０内側の折曲部から突出する棒状部２０とからなるコーナー部接続部材１００の棒状部２０が、縦部材１に形成された孔６に挿通されて固定されており、本体部１０外側に２本の横部材２，３が固定されている。【選択図】図６
2017051506.tif 000002
【特許請求の範囲】
【請求項１】
コーナー部に立設された縦部材と、前記縦部材を挟んで水平方向の両側に延びる２本の横部材とを接続するコーナー部接続部材であって、
Ｌ字状の板材からなり外側に前記２本の横部材が固定される本体部と、前記本体部内側の折曲部から突出し前記縦部材に形成された孔に挿通されて固定される棒状部とからなることを特徴とするコーナー部接続部材。
【請求項２】
前記本体部外側に横部材を固定する固定部材が取り付けられていることを特徴とする請求項１に記載のコーナー部接続部材。
【請求項３】
コーナー部に立設された縦部材と、前記縦部材を挟んで水平方向の両側に延びる２本の横部材とのコーナー部接続構造であって、
Ｌ字状の板材からなる本体部と前記本体部内側の折曲部から突出する棒状部とからなるコーナー部接続部材の前記棒状部が、前記縦部材に形成された孔に挿通されて固定されており、前記本体部外側に前記２本の横部材が固定されていることを特徴とするコーナー部接続構造。
【請求項４】
前記縦部材の上下方向に前記棒状部を挿通させる複数の孔が設けられていることを特徴とする請求項３に記載のコーナー部接続構造。
【発明の詳細な説明】
【技術分野】
【０００１】
本発明は、コーナー部に立設された縦部材と、縦部材を挟んで水平方向に延びる２本の横部材とを接続するコーナー部接続部材及びコーナー部接続構造に関するものである。
【背景技術】
【０００２】
従来、物品の収納用の棚や筐体の骨組として、例えば図８乃至図１０に示すような、縦部材と横部材とを組み合わせた構造体２００が用いられている。構造体２００の４つのコーナー部それぞれには縦部材１が立設されており、４本の縦部材１を結ぶように横部材２，３が、上下方向の３つの高さにおいて接続されている。これにより全体として直方体状の骨組が形成されており、必要に応じて各高さに棚を設けたり、側面に扉を設けたりして様々な用途に使用される。
【０００３】
また、構造体２００のような物品の収納用の棚や筐体の骨組以外にも、建築物の骨組や工事現場の足場などにおいて、垂直方向の縦部材と水平方向の横部材とを接続する様々な構造がある。例えば特許文献１には、角鋼管からなる柱に梁を取付金具によりボルト止めした、梁接続構造に関する発明が記載されており、特殊な構造の取付金具を用いて柱の側面への梁の取付作業を簡易化するようになっている。また特許文献２には、型枠工事に使用する正方形の鋼管を用い、仮設足場や仮設建物の骨組を構成するようにした発明が記載されており、特殊な構造の金具や保持具を用いるようになっている。
【先行技術文献】
【特許文献】
【０００４】
【特許文献１】特公平７−８１３１３号公報
【特許文献２】特開平８−２７０２０３号公報
【発明の概要】
【発明が解決しようとする課題】
【０００５】
ところで、図８乃至図１０に示すような構造体２００において、縦部材１と横部材２，３を接続する場合、溶接や接着、ネジ止め等の様々な固定方法がある。しかしながら、縦部材１と横部材２，３とを直接固定する場合には、垂直方向及び水平方向の位置決めが難しかったり、固定作業を安定して行えなかったりするなどの問題があり、接続に時間を要していた。
【０００６】
これに対して、特許文献１や特許文献２に示すような特殊な構造の金具を用いて接続する方法が考えられるが、それぞれ金具自体の構造が特殊であって、構造体２００のように、コーナー部に立設された縦部材１と、縦部材１を挟んで水平方向に延びる２本の横部材２，３とを接続する場合には適用することはできない。
【０００７】
本発明は、上記従来の課題を解決するものであり、コーナー部に立設された縦部材と、縦部材を挟んで水平方向に延びる２本の横部材とを接続する場合に、垂直方向及び水平方向の位置決めが容易で、固定作業を安定して行うことができ、接続時間を短縮することの可能なコーナー部接続部材及びコーナー部接続構造を提供するものである。
【課題を解決するための手段】
【０００８】
上記課題を解決するため、本発明のコーナー部接続部材は、コーナー部に立設された縦部材と、前記縦部材を挟んで水平方向の両側に延びる２本の横部材とを接続するコーナー部接続部材であって、Ｌ字状の板材からなり外側に前記２本の横部材が固定される本体部と、前記本体部内側の折曲部から突出し前記縦部材に形成された孔に挿通されて固定される棒状部とからなることを特徴とする。
【０００９】
また好ましくは、前記本体部外側に横部材を固定する固定部材が取り付けられていることを特徴とする。
【００１０】
また本発明のコーナー部接続構造は、コーナー部に立設された縦部材と、前記縦部材を挟んで水平方向の両側に延びる２本の横部材とのコーナー部接続構造であって、Ｌ字状の板材からなる本体部と前記本体部内側の折曲部から突出する棒状部とからなるコーナー部接続部材の前記棒状部が、前記縦部材に形成された孔に挿通されて固定されており、前記本体部外側に前記２本の横部材が固定されていることを特徴とする。
【００１１】
また好ましくは、前記縦部材の上下方向に前記棒状部を挿通させる複数の孔が設けられていることを特徴とする。
【発明の効果】
【００１２】
本発明によれば、Ｌ字状の板材からなり外側に２本の横部材が固定される本体部と、本体部内側の折曲部から突出し縦部材に形成された孔に挿通されて固定される棒状部とからなるコーナー部接続部材を用いて、コーナー部に立設された縦部材と、縦部材を挟んで水平方向の両側に延びる２本の横部材とを接続するようになっている。このとき、コーナー部接続部材の棒状部を縦部材に形成された孔に挿通して固定し、コーナー部接続部材の本体部外側に２本の横部材を固定する。従って、本体部外側に沿って２本の横部材を取り付ければ、垂直方向及び水平方向の位置決めが容易で、固定作業を安定して行うことができる。またコーナー部接続部材自体も、棒状部を縦部材の孔に挿通して固定するだけでよいので、取付が容易である。
【００１３】
また、本体部外側に横部材を固定する固定部材が取り付けられている場合には、横部材の本体部への固定がさらに容易である。
【００１４】
また、縦部材の上下方向に棒状部を挿通させる複数の孔が設けられている場合には、挿通させる孔を選択するだけで、横部材の垂直方向の位置を簡単に調整することができる。
【００１５】
以上、本発明によれば、コーナー部に立設された縦部材と、縦部材を挟んで水平方向に延びる２本の横部材とを接続する場合に、垂直方向及び水平方向の位置決めが容易で、固定作業を安定して行うことができ、接続時間を短縮することの可能なコーナー部接続部材及びコーナー部接続構造を提供することができる。
【図面の簡単な説明】
【００１６】
【図１】本発明の実施形態に係るコーナー部接続部材を示す斜視図である。
【図２】本発明の実施形態に係るコーナー部接続部材を示す正面図である。
【図３】本発明の実施形態に係るコーナー部接続部材を示す平面図である。
【図４】本実施形態に係る縦部材を示す正面図である。
【図５】本発明の実施形態に係るコーナー部接続構造を示す正面図である。
【図６】図５のＡ−Ａ断面図である。
【図７】他の実施形態に係るコーナー部接続部材を示す平面図である。
【図８】構造体を示す斜視図である。
【図９】構造体を示す正面図である。
【図１０】構造体を示す平面図である。
【発明を実施するための形態】
【００１７】
次に、図１乃至図１０を参照して、本発明の実施形態に係るコーナー部接続部材及びコーナー部接続構造について説明する。本実施形態に係るコーナー部接続部材及びコーナー部接続構造は、図８乃至図１０に示す構造体２００における、コーナー部に立設された縦部材１と、縦部材１を挟んで水平方向の両側に延びる２本の横部材２，３とを接続するためのものである。
【００１８】
構造体２００の４つのコーナー部それぞれには縦部材１が立設されており、４本の縦部材１を結ぶように横部材２，３が、上下方向の３つの高さにおいて接続されている。これにより全体として直方体状の骨組が形成されており、必要に応じて各高さに棚を設けたり、側面に扉を設けたりして様々な用途に使用される。
【００１９】
まず、図１乃至図３を参照して、本実施形態に係るコーナー部接続部材１００について説明する。図１乃至図３は、コーナー部接続部材を示す斜視図、正面図及び平面図である。コーナー部接続部材１００は、本体部１０及び棒状部２０から構成されている。本実施形態では、コーナー部接続部材１００として金属材を用いている。
【００２０】
本体部１０は、９０度の角度で折曲部を構成する板状部１１及び板状部１２により、Ｌ字状に形成されている。本体部１０は、１枚の板材を折り曲げることにより形成することができる。また、板状部１１，１２には複数の孔５が設けられており、後述するように２本の横部材２，３をネジ止めする際に使用するようになっている。
【００２１】
棒状部２０は、本体部１０内側の折曲部から突出するように形成されている。棒状部２０の突出方向は、板状部１１，１２が構成する９０度の角度の半分、すなわち板状部１１，１２のそれぞれに対して４５度の角度をなすようになっている。棒状部２０にはボルトとしてのネジ山が形成されており、ナット４が螺着されるようになっている。棒状部２０は、本体部１０内側の折曲部に溶接されて取り付けられている。
【００２２】
次に、図４を参照して、本実施形態に係る縦部材１について説明する。本実施形態では、縦部材１として鋼管を用いている。縦部材１である鋼管は、円筒状の長尺部材であり、上下方向にコーナー部接続部材１００の棒状部２０を挿通させる複数の孔が形成されている。複数の孔は、図４（ａ）に示す縦部材１ａのように、上下方向に１列に複数の孔６を設けてもよいし、図４（ｂ）に示す縦部材１ｂのように、上下方向に２列に複数の孔６及び複数の孔７を交差させながら設けてもよい。縦部材１ｂのように孔６及び孔７を交差させながら設けた場合には、１つのコーナー部を接続した後に、さらに横部材を延長して接続することが容易である。また、縦部材１の孔は必ずしも複数設ける必要はないが、横部材の垂直方向の位置を簡単に調整するためにも、複数設けることが好ましい。
【００２３】
次に、図５及び図６を参照して、本実施形態に係るコーナー部接続構造について説明する。図５は、本実施形態に係るコーナー部接続構造を示す正面図であり、図６は図５のＡ−Ａ断面図である。
【００２４】
縦部材１の孔６には、コーナー部接続部材１００の棒状部２０が挿通されている。棒状部２０の先端側にはワッシャーを挟んでナット４が螺着されており、棒状部２０が縦部材１に固定されている。これにより縦部材１は、コーナー部接続部材１００の本体部１０内側とナット４との間に挟み込まれて固定されるようになっている。なお、棒状部２０の固定方法は特に限定されるものではなく、ボルトとナットによる方法以外であってもよい。
【００２５】
コーナー部接続部材１００の本体部１０外側には、２本の横部材２，３が固定されている。本実施形態では、横部材２，３として木質材を用いている。本体部１０のうち板状部１１の外側には、板状部１１の孔５に挿通されたネジ９により横部材２が固定されている。また、本体部１０のうち板状部１２の外側には、板状部１２の孔５に挿通されたネジ９により横部材３が固定されている。また、横部材２と横部材３とが、ネジ８により固定されている。なお、横部材２，３の本体部１０外側への固定方法は特に限定されるものではなく、ネジ止めの他、ボルトとナットを用いたり、接着剤等によって固定してもよい。
【００２６】
さらに、図７に示す他の実施形態のように、本体部１０外側に横部材を固定する固定部材を別途取り付けるようにしてもよい。図７に示す他の実施形態は、本体部１０の板状部１１，１２それぞれの外側に、固定部材３０，３０としてクランプを取り付け、横部材３１，３２として２本の鋼管を固定したものである。このように固定部材としてクランプを用いれば、鋼管と鋼管を組み合わせたコーナー部接続構造を実現することが容易であり、足場等の組立にも適用することができる。なお、固定部材としては、クランプ以外にも横部材の種類等に応じて様々なものを用いることができる。
【００２７】
本実施形態に係るコーナー部接続部材１００及びコーナー部接続構造によれば、Ｌ字状の板材からなり外側に２本の横部材２，３が固定される本体部１０と、本体部１０内側の折曲部から突出し縦部材１に形成された孔６に挿通されて固定される棒状部２０とからなるコーナー部接続部材１００を用いて、コーナー部に立設された縦部材１と、縦部材１を挟んで水平方向の両側に延びる２本の横部材２，３とを接続するようになっている。このとき、コーナー部接続部材１００の棒状部２０を縦部材１に形成された孔６に挿通して固定し、コーナー部接続部材１００の本体部１０外側に２本の横部材２，３を固定する。従って、本体部１０外側に沿って２本の横部材２，３を取り付ければ、垂直方向及び水平方向の位置決めが容易で、固定作業を安定して行うことができる。またコーナー部接続部材１００自体も、棒状部２０を縦部材１の孔６に挿通して固定するだけでよいので、取付が容易である。
【００２８】
また、縦部材１の上下方向に棒状部２０を挿通させる複数の孔６が設けられている場合には、挿通させる孔６を選択するだけで、横部材２，３の垂直方向の位置を簡単に調整することができる。
【００２９】
また、本体部１０外側に横部材３１，３２を固定する固定部材３０，３０が取り付けられている場合には、横部材３１，３２の本体部１０への固定がさらに容易である。
【００３０】
このように、本実施形態に係るコーナー部接続部材及びコーナー部接続構造によれば、コーナー部に立設された縦部材と、縦部材を挟んで水平方向に延びる２本の横部材とを接続する場合に、垂直方向及び水平方向の位置決めが容易で、固定作業を安定して行うことができ、接続時間を短縮することができる。
【００３１】
以上、本発明の実施形態に係るコーナー部接続部材及びコーナー部接続構造について説明したが、本発明は上述した実施の形態に限定されるわけではなく、その他種々の変更が可能である。
【００３２】
例えば、本実施形態における構造体２００は、物品の収納用の棚や筐体の骨組として用いられるものであるが、本発明はこれに限定されるものではなく、例えば建築物の骨組や工事現場の足場などにおいても、コーナー部に立設された縦部材と、縦部材を挟んで水平方向の両側に延びる２本の横部材とを接続する場合に適用することができる。
【００３３】
また、縦部材、横部材、コーナー部接続部材の材料としては、鉄やステンレス等の金属、木、竹、樹脂など様々な材質のものを、構造体の用途や必要とされる強度等に合わせて用いることができる。
【符号の説明】
【００３４】
１  縦部材
２  横部材
３  横部材
４  ナット
５  孔
６  孔
７  孔
８  ネジ
９  ネジ
１０  本体部
１１  板状部
１２  板状部
２０  棒状部
３０  固定部材
３１  横部材
３２  横部材
１００  コーナー部接続部材
２００  構造体
【図１】
2017051506.tif 000003
【図２】
2017051506.tif 000004
【図３】
2017051506.tif 000005
【図４】
2017051506.tif 000006
【図５】
2017051506.tif 000007
【図６】
2017051506.tif 000008
【図７】
2017051506.tif 000009
【図８】
2017051506.tif 000010
【図９】
2017051506.tif 000011
【図１０】
2017051506.tif 000012